(57)【要約】【課題】従来、予約できる駐車場の情報と予約できない駐車場の情報とを、同時にかつ視覚的に区別して閲覧できなかった。【解決手段】予約可能な第一駐車場に関する１以上の第一駐車場情報と、予約できない第二駐車場に関する１以上の第二駐車場情報とが、区別可能に格納されている駐車場情報格納部と、駐車場情報の出力指示をユーザ端末から受信する出力指示受信部と、出力指示の受信に応じて、第一駐車場と第二駐車場とを視覚的に区別可能に駐車場の情報をユーザ端末で出力するように、１以上の第一駐車場情報と１以上の第二駐車場情報とを用いて、出力する駐車場の情報である出力駐車場情報を構成する構成部と、構成部が構成した出力駐車場情報を、ユーザ端末に送信する出力駐車場情報送信部とを具備する駐車場情報処理装置により、予約できる駐車場の情報と予約できない駐車場の情報とを、同時にかつ視覚的に区別して閲覧できる。【選択図】図３
2018116622.tif 000002
【特許請求の範囲】
【請求項１】
予約可能な第一駐車場に関する駐車場情報である１以上の第一駐車場情報と、予約できない第二駐車場に関する駐車場情報である１以上の第二駐車場情報とが、区別可能に格納されている駐車場情報格納部と、
駐車場情報の出力の指示である出力指示をユーザ端末から受信する出力指示受信部と、
前記出力指示の受信に応じて、第一駐車場と第二駐車場とを視覚的に区別可能に駐車場の情報を前記ユーザ端末で出力するように、前記１以上の第一駐車場情報と前記１以上の第二駐車場情報とを用いて、出力する駐車場の情報である出力駐車場情報を構成する構成部と、
前記構成部が構成した出力駐車場情報を、前記ユーザ端末に送信する出力駐車場情報送信部とを具備する駐車場情報処理装置。
【請求項２】
第一駐車場を識別する第一駐車場識別子と予約者を識別するユーザ識別子と予約する時間帯を特定する時間帯情報とを有する１以上の予約情報が格納される予約情報格納部と、
ユーザ端末から第一駐車場識別子とユーザ識別子と時間帯情報とを有する予約情報を受信する予約情報受信部と、
前記予約情報受信部が受信した予約情報が有する第一駐車場識別子とユーザ識別子とに対応付けて、前記予約情報が有する時間帯情報を前記予約情報格納部に蓄積する蓄積部とをさらに具備する請求項１記載の駐車場情報処理装置。
【請求項３】
前記予約情報格納部の予約情報に基づいて、予め決められた条件を満たした場合に、駐車料金の事前決済を行う事前決済部をさらに具備する請求項２記載の駐車場情報処理装置。
【請求項４】
前記第一駐車場情報と前記第二駐車場情報は、駐車場の位置を特定する位置情報を有し、
前記出力駐車場情報は、
地図情報と、当該地図情報に対応する地図上に第一駐車場を示す１以上の第一図柄と第二駐車場を示す１以上の第二図柄とを有し、
前記１以上の各第一図柄と前記１以上の各第二図柄とは、対応する第一駐車場情報または対応する第二駐車場情報が有する位置情報により特定される地図上の位置に配置されている請求項１から請求項３いずれか一項に記載の駐車場情報処理装置。
【請求項５】
前記第一駐車場情報は、
駐車可能な移動体の種類を特定する種類識別子を有し、
前記出力指示に対応する種類識別子と第一駐車場情報が有する種類識別子とから、前記出力指示を送信したユーザ端末のユーザの移動体が前記第一駐車場情報に対応する駐車場に駐車可能か否かを判断する判断部をさらに具備し、
前記構成部は、
前記判断部における判断結果を示す出力駐車場情報を構成する請求項１から請求項４いずれか一項に記載の駐車場情報処理装置。
【請求項６】
前記構成部は、
前記判断部における判断結果を用いて、駐車できない駐車場の情報を有さない出力駐車場情報を構成する請求項５記載の駐車場情報処理装置。
【請求項７】
前記第一駐車場情報は、
営業時間を特定する営業時間情報を有し、
前記構成部は、
前記営業時間情報を用いて出力駐車場情報を構成する請求項１から請求項６いずれか一項に記載の駐車場情報処理装置。
【請求項８】
前記予約情報格納部の１以上の予約情報を用いて、駐車場ごとの情報の統計処理を行い、統計情報を取得する統計処理部と、
前記統計情報を出力する統計出力部とをさらに具備する請求項２または請求項３記載の駐車場情報処理装置。
【請求項９】
前記統計情報は、
予約がキャンセルされたことに関するキャンセル情報、または予約されたが利用されなかったことに関する非利用情報を含む請求項８記載の駐車場情報処理装置。
【請求項１０】
記録媒体は、
予約可能な第一駐車場に関する駐車場情報である１以上の第一駐車場情報と、予約できない第二駐車場に関する駐車場情報である１以上の第二駐車場情報とが、区別可能に格納されている駐車場情報格納部を具備し、
出力指示受信部、構成部、および出力駐車場情報送信部により実現される駐車場情報処理方法であって、
前記出力指示受信部が、駐車場情報の出力の指示である出力指示をユーザ端末から受信する出力指示受信ステップと、
前記構成部が、前記出力指示の受信に応じて、第一駐車場と第二駐車場とを視覚的に区別可能に駐車場の情報を前記ユーザ端末で出力するように、前記１以上の第一駐車場情報と前記１以上の第二駐車場情報とを用いて、出力する駐車場の情報である出力駐車場情報を構成する構成ステップと、
前記出力駐車場情報送信部が、前記構成ステップで構成された出力駐車場情報を、前記ユーザ端末に送信する出力駐車場情報送信ステップとを具備する駐車場情報処理方法。
【請求項１１】
コンピュータがアクセス可能な記録媒体は、
予約可能な第一駐車場に関する駐車場情報である１以上の第一駐車場情報と、予約できない第二駐車場に関する駐車場情報である１以上の第二駐車場情報とが、区別可能に格納されている駐車場情報格納部を具備し、
コンピュータを、
駐車場情報の出力の指示である出力指示をユーザ端末から受信する出力指示受信部と、
前記出力指示の受信に応じて、第一駐車場と第二駐車場とを視覚的に区別可能に駐車場の情報を前記ユーザ端末で出力するように、前記１以上の第一駐車場情報と前記１以上の第二駐車場情報とを用いて、出力する駐車場の情報である出力駐車場情報を構成する構成部と、
前記構成部が構成した出力駐車場情報を、前記ユーザ端末に送信する出力駐車場情報送信部として機能させるためのプログラム。
【発明の詳細な説明】
【技術分野】
【０００１】
本発明は、移動体の駐車場の情報を管理する駐車場情報処理装置等に関するものである。
【背景技術】
【０００２】
従来、時間貸し駐車場情報を検索できるウェブサイトが存在した（例えば、非特許文献１参照）。
【０００３】
また、予約できる駐車場を閲覧し、駐車場の予約が可能なウェブサイトが存在した（例えば、非特許文献２参照）。
【先行技術文献】
【非特許文献】
【０００４】
【非特許文献１】"タイムズ駐車場検索"、［online］、［平成２９年１月８日検索］、インターネット［URL：http://times-info.net/］
【非特許文献２】"ａｋｉｐｐａ"、［online］、［平成２９年１月８日検索］、インターネット［URL：https://www.akippa.com/］
【発明の概要】
【発明が解決しようとする課題】
【０００５】
しかしながら、従来技術においては、予約できる駐車場の情報と予約できない駐車場の情報とを、同時にかつ視覚的に区別して閲覧できなかった。
【０００６】
従って、例えば、駐車したい地域やスポット周辺の駐車場を駐車場の予約サイトで予約しようとしたが、予約が一杯で予約できない場合、ユーザは、予約できない駐車場の情報を別のサイトで探したり、目的地周辺に到着した段階でナビゲーション端末を用いて駐車場の位置を確認したりしていた。そのため、例えば、目的地近くの駐車場を探す場合、駐車場の予約および駐車場の位置の確認作業が面倒であった。
【課題を解決するための手段】
【０００７】
本第一の発明の駐車場情報処理装置は、予約可能な第一駐車場に関する駐車場情報である１以上の第一駐車場情報と、予約できない第二駐車場に関する駐車場情報である１以上の第二駐車場情報とが、区別可能に格納されている駐車場情報格納部と、駐車場情報の出力の指示である出力指示をユーザ端末から受信する出力指示受信部と、出力指示の受信に応じて、第一駐車場と第二駐車場とを視覚的に区別可能に駐車場の情報をユーザ端末で出力するように、１以上の第一駐車場情報と１以上の第二駐車場情報とを用いて、出力する駐車場の情報である出力駐車場情報を構成する構成部と、構成部が構成した出力駐車場情報を、ユーザ端末に送信する出力駐車場情報送信部とを具備する駐車場情報処理装置である。
【０００８】
かかる構成により、予約できる駐車場の情報と予約できない駐車場の情報とを、同時にかつ視覚的に区別して閲覧できる。
【０００９】
また、本第二の発明の駐車場情報処理装置は、第一の発明に対して、第一駐車場を識別する第一駐車場識別子と予約者を識別するユーザ識別子と予約する時間帯を特定する時間帯情報とを有する１以上の予約情報が格納される予約情報格納部と、ユーザ端末から第一駐車場識別子とユーザ識別子と時間帯情報とを有する予約情報を受信する予約情報受信部と、予約情報受信部が受信した予約情報が有する第一駐車場識別子とユーザ識別子とに対応付けて、予約情報が有する時間帯情報を予約情報格納部に蓄積する蓄積部とをさらに具備する駐車場情報処理装置である。
【００１０】
かかる構成により、予約できる駐車場の情報を見ながら、利用する時間を指定した駐車場の予約ができる。
【００１１】
また、本第三の発明の駐車場情報処理装置は、第二の発明に対して、予約情報格納部の予約情報に基づいて、予め決められた条件を満たした場合に、駐車料金の事前決済を行う事前決済部をさらに具備する駐車場情報処理装置である。
【００１２】
かかる構成により、予約された駐車場について事前決済を行うため、駐車場にゲートやフラップ等の特別な設備の必要がなく、料金を安全に徴収できる。
【００１３】
また、本第四の発明の駐車場情報処理装置は、第一から第三いずれか１つの発明に対して、第一駐車場情報と第二駐車場情報は、駐車場の位置を特定する位置情報を有し、出力駐車場情報は、地図情報と、地図情報に対応する地図上に第一駐車場を示す１以上の第一図柄と第二駐車場を示す１以上の第二図柄とを有し、１以上の各第一図柄と１以上の各第二図柄とは、対応する第一駐車場情報または対応する第二駐車場情報が有する位置情報により特定される地図上の位置に配置されている駐車場情報処理装置である。
【００１４】
かかる構成により、予約できる駐車場の情報と予約できない駐車場の情報とを、地図上に視覚的に区別して表示できる。
【００１５】
また、本第五の発明の駐車場情報処理装置は、第一から第四いずれか１つの発明に対して、第一駐車場情報は、駐車可能な移動体の種類を特定する種類識別子を有し、出力指示に対応する種類識別子と第一駐車場情報が有する種類識別子とから、出力指示を送信したユーザ端末のユーザの移動体が第一駐車場情報に対応する駐車場に駐車可能か否かを判断する判断部をさらに具備し、構成部は、判断部における判断結果を示す出力駐車場情報を構成する駐車場情報処理装置である。
【００１６】
かかる構成により、移動体の種類に応じて、駐車可能な否かを判断し、判断結果を出力できる。
【００１７】
また、本第六の発明の駐車場情報処理装置は、第五の発明に対して、構成部は、判断部における判断結果を用いて、駐車できない駐車場の情報を有さない出力駐車場情報を構成する駐車場情報処理装置である。
【００１８】
かかる構成により、移動体の種類に応じた、適切な駐車場の情報を出力できる。
【００１９】
また、本第七の発明の駐車場情報処理装置は、第一から第六いずれか１つの発明に対して、第一駐車場情報は、営業時間を特定する営業時間情報を有し、構成部は、営業時間情報を用いて出力駐車場情報を構成する駐車場情報処理装置である。
【００２０】
かかる構成により、駐車場の営業時間に応じた出力駐車場情報を出力できる。
【００２１】
また、本第八の発明の駐車場情報処理装置は、第二または第三の発明に対して、予約情報格納部の１以上の予約情報を用いて、駐車場ごとの情報の統計処理を行い、統計情報を取得する統計処理部と、統計情報を出力する統計出力部とをさらに具備する駐車場情報処理装置である。
【００２２】
かかる構成により、予約情報の統計処理が可能となる。
【００２３】
また、本第九の発明の駐車場情報処理装置は、第八の発明に対して、統計情報は、予約がキャンセルされたことに関するキャンセル情報、または予約されたが利用されなかったことに関する非利用情報を含む駐車場情報処理装置である。
【００２４】
かかる構成により、予約された後にキャンセルされたことに関する情報、または予約されたのに利用されなかったことに関する情報を出力できる。
【発明の効果】
【００２５】
本発明による駐車場情報処理装置によれば、予約できる駐車場の情報と予約できない駐車場の情報とを、同時にかつ視覚的に区別して閲覧できる。
【図面の簡単な説明】
【００２６】
【図１】実施の形態１における情報システムＡの概念図
【図２】同情報システムＡのブロック図
【図３】同駐車場情報処理装置１のブロック図
【図４】同駐車場情報処理装置１の動作について説明するフローチャート
【図５】同出力情報構成処理について説明するフローチャート
【図６】同自動通知処理について説明するフローチャート
【図７】同第一駐車場情報管理表を示す図
【図８】同第二駐車場情報管理表を示す図
【図９】同ユーザ情報管理表を示す図
【図１０】同予約情報管理表を示す図
【図１１】同出力例を示す図
【図１２】同コンピュータシステムの概観図
【図１３】同コンピュータシステムのブロック図
【発明を実施するための形態】
【００２７】
以下、駐車場情報処理装置等の実施形態について図面を参照して説明する。なお、実施の形態において同じ符号を付した構成要素は同様の動作を行うので、再度の説明を省略する場合がある。
【００２８】
（実施の形態１）
【００２９】
本実施の形態において、予約できる駐車場と予約できない駐車場の両方を視覚的に区別可能に出力する情報システムについて説明する。なお、本情報システムにおいて、例えば、地図上に、両タイプの駐車場の位置を出力する。また、駐車場は、移動体を駐車する場所である。移動体は、通常、自動車であるが、二輪車、自転車等でも良い。なお、自動車は、各種のもの、種々のサイズのものを含み、トラックやバス等も含まれても良い。
【００３０】
また、本実施の形態において、予約できる駐車場について、予約可能であり、駐車場に対応する料金情報に基づいて事前決済する情報システムについて説明する。
情報システムについて説明する。
【００３１】
また、本実施の形態において、ユーザの自動車の車種等の情報を用いて、駐車可能か否かを判断し、判断結果を出力する情報システムについて説明する。
【００３２】
また、本実施の形態において、駐車できない駐車場の情報は出力しない情報システムについて説明する。
【００３３】
また、本実施の形態において、営業時間情報を保持しており、営業時間情報を用いた処理を行う情報システムについて説明する。
【００３４】
さらに、本実施の形態において、予約情報の統計処理を行う情報システムについて説明する。
【００３５】
図１は、本実施の形態における情報システムＡの概念図である。情報システムＡは、駐車場情報処理装置１、１または２以上のユーザ端末２、および１または２以上のオーナー端末３を備える。駐車場情報処理装置１は、駐車場情報を管理し、処理する装置であり、例えば、ＡＳＰのサーバ、クラウドサーバ等である。但し、駐車場情報処理装置１の種類は問わない。ユーザ端末２は、駐車場の予約をするユーザの端末である。オーナー端末３は、駐車場のオーナーの端末である。ユーザ端末２、オーナー端末３は、例えば、いわゆるパーソナルコンピュータ、タブレット端末、スマートフォン等であり、その種類は問わない。また、通常、駐車場情報処理装置１と１以上のユーザ端末２とは、インターネット、ＬＡＮ等のネットワークにより通信可能である。また、通常、駐車場情報処理装置１と１以上のオーナー端末３とは、インターネット、ＬＡＮ等のネットワークにより通信可能である。
【００３６】
図２は、本実施の形態における情報システムＡのブロック図である。また、図３は、駐車場情報処理装置１のブロック図である。
【００３７】
駐車場情報処理装置１は、格納部１１、受信部１２、処理部１３、送信部１４、および出力部１５を備える。
【００３８】
格納部１１は、駐車場情報格納部１１１、ユーザ情報格納部１１２、および予約情報格納部１１３を備える。受信部１２は、出力指示受信部１２１、および予約情報受信部１２２を備える。処理部１３は、蓄積部１３１、判断部１３２、構成部１３３、事前決済部１３４、および統計処理部１３５を備える。送信部１４は、出力駐車場情報送信部１４１を備える。出力部１５は、統計出力部１５１を備える。
【００３９】
ユーザ端末２は、ユーザ格納部２１、ユーザ受付部２２、ユーザ処理部２３、ユーザ送信部２４、ユーザ受信部２５、およびユーザ出力部２６を備える。
【００４０】
オーナー端末３は、オーナー格納部３１、オーナー受付部３２、オーナー処理部３３、オーナー送信部３４、オーナー受信部３５、およびオーナー出力部３６を備える。
【００４１】
駐車場情報処理装置１を構成する格納部１１には、各種の情報が格納される。各種の情報とは、例えば、後述する駐車場情報、後述するユーザ情報、後述する予約情報、地図情報、ユーザ端末２に送信される通知（後述する第一通知、第二通知）の情報や通知の雛形の情報。後述する第一図柄、第二図柄等である。地図情報のデータ構造、フォーマットは問わない。
【００４２】
駐車場情報格納部１１１は、１または２以上の第一駐車場情報と、１または２以上の第二駐車場情報とが、区別可能に格納されている。第一駐車場情報は、第一駐車場に関する情報である。第一駐車場は、予約可能な駐車場である。第一駐車場情報は、例えば駐車場識別子、住所、位置情報、オーナー名、振込先情報、種類識別子、台数情報、料金情報、営業時間情報、駐車場画像を有する。第二駐車場情報は、第二駐車場に関する情報である。第二駐車場は、予約できない駐車場である。第二駐車場情報は、例えば、駐車場識別子、住所、位置情報、種類識別子、台数情報、料金情報、営業時間情報、駐車場画像を有する。
【００４３】
また、第一駐車場情報と第二駐車場情報とが区別可能に格納されているとは、例えば、第一駐車場情報または／および第二駐車場情報が予約可能か否かを示すフラグを有すること、第一駐車場情報と第二駐車場情報との格納領域が異なっていること等である。なお、格納領域は、例えば、フォルダ、データベース、ディスク等である。
【００４４】
また、第一駐車場情報と第二駐車場情報とが区別可能に格納されているとは、例えば、第一駐車場情報と第二駐車場情報とのデータ構造が異なることでも良い。かかることは、例えば、第一駐車場情報がオーナーに関する情報を有し、第二駐車場情報がオーナーに関する情報を有さないことである。オーナーに関する情報は、例えば、オーナー名、振込先情報等である。なお、第一駐車場情報と第二駐車場情報とを、適宜、駐車場情報と言うことがある。
【００４５】
また、駐車場識別子は、駐車場を識別する情報であり、例えば、ＩＤ，駐車場名等である。また、位置情報は、位置を特定する情報であり、例えば、（緯度，経度）でも良いし、位置を示すＩＤでも良いし、住所等でも良い。オーナー名とは、駐車場のオーナーの名前（氏名、会社名など）である。振込先情報は、駐車場を使用させる対価の振り込み先を示す情報であり、例えば、オーナーの銀行口座の情報である。種類識別子は、駐車可能な移動体の種類を特定する情報であり、駐車可能な移動体の種類を示す情報でも良いし、駐車できない移動体の種類を示す情報でも良い。種類識別子は、例えば、「大型」「自転車」「二輪車」「小型」「中型」「軽」などである。種類識別子は、駐車可能な移動体の種類を示すＩＤ、駐車できない移動体の種類を示すＩＤ等でも良い。種類識別子は、駐車場ごとに格納されていても良いし、駐車場の中の特定の領域に対して格納されていても良い。台数情報は、当該駐車場内に駐車可能または予約可能な台数の情報である。料金情報は、駐車料金に関する情報である。料金情報は、単位時間（例えば、１時間、１５分など）当たりの料金、時間帯および単位時間当たりの料金、曜日および単位時間当たりの料金等であり、そのデータ構造は問わない。営業時間情報は、営業時間を特定する情報である。営業時間情報は、営業時間外を特定する情報でも良い。営業時間外を特定する情報は、営業時間を特定する情報だからである。駐車場画像は、駐車場の画像である。駐車場情報は、２以上の駐車場画像を有しても良い。
【００４６】
ユーザ情報格納部１１２は、１または２以上のユーザ情報が格納される。ユーザ情報は、ユーザに関する情報である。ユーザ情報は、例えば、ユーザ識別子、ユーザの氏名、クレジットカード番号、電話番号、メールアドレス等を有する。
【００４７】
予約情報格納部１１３は、１以上の予約情報が格納される。予約情報は、駐車場の予約に関する情報である。予約情報は、通常、第一駐車場識別子と予約者を識別するユーザ識別子と時間帯情報とを有する。第一駐車場識別子は、第一駐車場を識別する情報である。また、時間帯情報は、駐車場を予約する時間帯を特定する情報である。予約情報と、駐車場情報格納部１１１の第一駐車場情報とは、第一駐車場識別子を共用するなど、情報の重なりがあっても良いことは言うまでもない。さらに、予約情報は、予約がキャンセルされた場合に、キャンセルされた旨を示す情報（フラグなど）を有しても良い。
【００４８】
受信部１２は、ユーザ端末２またはオーナー端末３から各種の情報や指示等を受信する。各種の情報や指示等とは、例えば、後述する出力指示、予約情報、ユーザ情報、オーナー情報、キャンセル指示等である。キャンセル指示とは、予約をキャンセルする指示であり、予約を特定する情報（例えば、予約情報の識別子）を有する。なお、受信部１２が受信する情報は、当該情報を構成するすべての要素を一緒に受信する必要はないことは言うまでもない。
【００４９】
出力指示受信部１２１は、出力指示をユーザ端末２から受信する。出力指示は、駐車場情報の出力の指示である。出力指示は、例えば、ユーザ識別子、領域を特定する情報(例えば、スポット名、地名など)を有する。
【００５０】
予約情報受信部１２２は、ユーザ端末２から予約情報を受信する。予約情報は、通常、予約する第一駐車場を識別する第一駐車場識別子と、ユーザ識別子と、時間帯情報とを有する。予約情報受信部１２２は、予約情報を構成するすべての情報を一緒に受信する必要はないことは言うまでもない。
【００５１】
処理部１３は、各種の処理を行う。各種の処理とは、例えば、蓄積部１３１、判断部１３２、構成部１３３、事前決済部１３４、統計処理部１３５が行う処理である。
【００５２】
また、処理部１３は、受信部１２がキャンセル指示を受信した場合、当該キャンセル指示に対応する予約情報のキャンセルのための処理を行う。キャンセルのための処理は、例えば、キャンセルを示すフラグ、キャンセルの時刻を示す時刻情報を予約情報に付加することである。
【００５３】
また、処理部１３は、後述する自動通知処理を行っても良い。自動通知処理は、例えば、以下の（１）（２）の通知の処理である。
（１）もうすぐ予約開始時刻になる旨の通知（適宜、「第一通知」という）
【００５４】
処理部１３は、図示しない時計から現在時刻を取得する。次に、処理部１３は、各予約情報の時間帯情報の開始時刻を取得する。そして、処理部１３は、現在時刻が開始時刻の前であり、開始時刻の閾値（例えば、３０分）より近い時刻であり、第一通知を行っていない予約情報であるか否かを判断する。次に、処理部１３は、上記の条件を満たす予約情報である場合、当該予約情報に含まれるユーザ識別子を予約情報管理表から取得する。次に、処理部１３は、取得したユーザ識別子と対になるメールアドレスを取得する。次に、送信部１４は、当該メールアドレス宛に、もうすぐ予約開始時刻になる旨の通知情報（例えば、「予約されている駐車場の使用開始時刻が近づいています。・・・」）を送信する。なお、処理部１３は、第一通知の後、第一通知を行った旨の情報（例えば、フラグ）を、予約情報に対応付けて蓄積する。
（２）もうすぐ予約終了時刻になる旨の通知（適宜、「第二通知」という）
【００５５】
処理部１３は、図示しない時計から現在時刻を取得する。次に、処理部１３は、各予約情報の時間帯情報の終了時刻を取得する。そして、処理部１３は、現在時刻が終了時刻の前であり、終了時刻の閾値（例えば、１５分）より近い時刻であり、第二通知を行っていない予約情報であるか否かを判断する。次に、処理部１３は、上記の条件を満たす予約情報である場合、当該予約情報に含まれるユーザ識別子を予約情報管理表から取得する。次に、処理部１３は、取得したユーザ識別子と対になるメールアドレスを取得する。次に、送信部１４は、当該メールアドレス宛に、もうすぐ予約終了時刻になる旨の通知情報（例えば、「予約されている駐車場の使用終了時刻が近づいています。・・・」）を送信する。なお、処理部１３は、第二通知の後、第二通知を行った旨の情報（例えば、フラグ）を、予約情報に対応付けて蓄積する。
【００５６】
蓄積部１３１は、予約情報受信部１２２が受信した予約情報を登録する。つまり、蓄積部１３１は、通常、予約情報受信部１２２が受信した予約情報が有する第一駐車場識別子とユーザ識別子とに対応付けて、予約情報受信部１２２が受信した予約情報が有する時間帯情報を予約情報格納部１１３に蓄積する。
【００５７】
また、蓄積部１３１は、受信部１２が受信した第一駐車場情報を駐車場情報格納部１１１に蓄積する。かかる処理は、第一駐車場情報の登録処理である。
【００５８】
また、蓄積部１３１は、受信部１２が受信したユーザ情報をユーザ情報格納部１１２に蓄積する。かかる処理は、ユーザ情報の登録処理である。
【００５９】
判断部１３２は、出力指示受信部１２１が受信した出力指示に対応する種類識別子と第一駐車場情報が有する種類識別子とから、出力指示を送信したユーザ端末２のユーザの移動体が第一駐車場情報に対応する駐車場に駐車可能か否かを判断する。なお、出力指示に対応する種類識別子とは、出力指示が有する種類識別子でも良いし、出力指示が有するユーザ識別子と対になる種類識別子でも良い。
【００６０】
構成部１３３は、出力指示の受信に応じて、第一駐車場と第二駐車場とを視覚的に区別可能に出力駐車場情報を構成する。なお、出力駐車場情報とは、出力する駐車場の情報である。出力駐車場情報は、例えば、地図情報、および地図上での駐車場の位置を示す図柄等を有する情報である。駐車場の位置を示す図柄は、例えば、押下可能なアイコン、文字列、図等である。第一駐車場の図柄と、第二駐車場の図柄とは、異なる図柄であることは好適である。また、出力駐車場情報は、例えば、駐車場の情報のリストでも良い。出力駐車場情報は、例えば、ＨＴＭＬ、ＸＭＬ等であり、そのデータの構造は問わない。
【００６１】
さらに詳細には、構成部１３３は、出力指示の受信に応じて、第一駐車場と第二駐車場とを視覚的に区別可能に駐車場の情報をユーザ端末２で出力できるように、１以上の第一駐車場情報と１以上の第二駐車場情報とを用いて、出力駐車場情報を構成する。なお、第一駐車場は、予約できる駐車場であり、第二駐車場は予約できない駐車場である。
【００６２】
構成部１３３は、例えば、判断部１３２における判断結果を示す出力駐車場情報を構成する。また、構成部１３３は、例えば、判断部１３２における判断結果を用いて、出力駐車場情報を構成する。判断結果を示す出力駐車場情報または判断結果を用いた出力駐車場情報とは、例えば、駐車できない駐車場の情報を有さない出力駐車場情報、駐車不可または駐車可を示す情報が、駐車場ごとに示された出力駐車場情報等である。
【００６３】
また、構成部１３３は、営業時間情報を用いて出力駐車場情報を構成することは好適である。営業時間情報を用いた出力駐車場情報の構成とは、営業時間外であれば予約できないような出力駐車場情報を構成すること、営業時間外の前の閾値以内（例えば、１時間以内）以降の予約であれば、閾値時間以降は営業時間外になることを知らせる出力駐車場情報を構成すること等である。
【００６４】
事前決済部１３４は、予約情報格納部１１３の予約情報に基づいて、駐車料金の事前決済を行う。予約情報の受信に応じて、事前決済部１３４は、駐車料金の事前決済を行っても良い。事前決済を行うことは、事前の決済のための処理を行うことであれば良く、例えば、クレジットカード番号を用いた決済の処理、決済サーバにクレジットカード番号を有する情報を送信すること、決済のための情報を印刷すること等である。
【００６５】
また、事前決済部１３４は、予約情報格納部１１３の予約情報に基づいて、予め決められた条件を満たした場合に、駐車料金の事前決済を行うことは好適である。予め決められた条件とは、現在時刻が、予約情報が有する駐車開始時間の閾値時間前になったという条件、予約情報の受信から（予約してから）閾値時間以上（または、閾値時間より長い時間）経過したという条件等である。
【００６６】
統計処理部１３５は、予約情報格納部１１３の１以上の予約情報を用いて、駐車場ごとの情報の統計処理を行い、統計情報を取得する。予約情報を用いた統計処理は、決済情報を用いた統計処理を含む、と考えても良い。なお、決済情報とは、予約情報に基づいて、ユーザに課金された金額を含む情報であり、決済に関する情報である。決済情報は、予約情報を含むことは好適である。また、統計情報は、例えば、売上情報、予約率などの情報である。また、統計情報とは、予約がキャンセルされたことに関するキャンセル情報、または予約されたが利用されなかったことに関する非利用情報を含むことは好適である。キャンセル情報は、例えば、キャンセル率、キャンセル回数、キャンセルされるタイミングに関するタイミング情報等である。キャンセル率は、例えば、単位期間あたりの「キャンセル回数／予約数」である。タイミング情報は、例えば、駐車開始時間のいくらぐらい前にキャンセルされているかに関する情報（その平均値、中央値など）である。なお、統計処理部１３５は、例えば、予約情報に含まれるキャンセルを示すフラグを用いて、キャンセル情報を構成する。また、統計処理部１３５は、例えば、予約情報に含まれるキャンセルを示すフラグ、キャンセルの時刻を示す時刻情報を用いて、キャンセルされるタイミングに関するタイミング情報を取得する。
【００６７】
送信部１４は、ユーザ端末２またはオーナー端末３に各種の情報を送信する。各種の情報とは、例えば、出力駐車場情報、予約完了情報、決済通知情報等である。予約完了情報とは、駐車場の予約が完了したことに関する情報である。決済通知情報は、決済がされる旨に関する情報、または決済がされたことに関する情報である。
【００６８】
出力駐車場情報送信部１４１は、構成部１３３が構成した出力駐車場情報を、出力指示を送信してきたユーザ端末２に送信する。
【００６９】
出力部１５は、各種の情報を出力する。各種の情報とは、例えば、統計情報である。ここで、出力とは、通常、外部の装置（例えば、オーナー端末３）への送信であるが、ディスプレイへの表示、プロジェクターを用いた投影、プリンタでの印字、音出力、記録媒体への蓄積、他の処理装置や他のプログラムなどへの処理結果の引渡しなどの概念であっても良い。
【００７０】
出力がディスプレイへの表示等である場合、出力部１５は、ディスプレイやスピーカー等の出力デバイスを含むと考えても含まないと考えても良い。かかる場合、出力部１５は、出力デバイスのドライバーソフトまたは、出力デバイスのドライバーソフトと出力デバイス等で実現され得る。
【００７１】
統計出力部１５１は、統計処理部１３５が取得した統計情報を出力する。ここで、出力とは、オーナー端末３への送信でも良い。
【００７２】
ユーザ端末２を構成するユーザ受付部２２は、ユーザから、情報や指示等を受け付ける。情報や指示等とは、例えば、ユーザ情報、出力指示、予約情報等である。情報や指示等の入力手段は、キーボードやタッチパネルやマウスやメニュー画面によるもの等、何でも良い。ユーザ受付部２２は、キーボード等の入力手段のデバイスドライバーや、メニュー画面の制御ソフトウェア等で実現され得る。
【００７３】
ユーザ処理部２３は、各種の処理を行う。各種の処理とは、例えば、ユーザ受付部２２が受け付けた情報や指示等を、送信するデータ構造の情報や指示等に変更する処理、受信された情報を出力するデータ構造の情報に変更する処理等である。
【００７４】
ユーザ送信部２４は、情報や指示等を駐車場情報処理装置１に送信する。情報や指示等とは、例えば、出力指示、予約情報等である。
【００７５】
ユーザ受信部２５は、情報を駐車場情報処理装置１から受信する。情報とは、例えば、出力駐車場情報、各種の通知等である。
【００７６】
ユーザ出力部２６は、情報を出力する。情報とは、例えば、出力駐車場情報、各種の通知である。ここで、出力とは、ディスプレイへの表示、プロジェクターを用いた投影、プリンタでの印字、音出力、外部の装置（例えば、表示装置）への送信、記録媒体への蓄積、他の処理装置や他のプログラムなどへの処理結果の引渡しなどを含む概念である。
【００７７】
オーナー端末３を構成するオーナー受付部３２は、オーナーから、情報や指示等を受け付ける。情報や指示等とは、例えば、駐車場情報、統計情報出力指示等である。統計情報出力指示とは、統計情報を出力する指示である。情報や指示等の入力手段は、キーボードやタッチパネルやマウスやメニュー画面によるもの等、何でも良い。ユーザ受付部２２は、キーボード等の入力手段のデバイスドライバーや、メニュー画面の制御ソフトウェア等で実現され得る。
【００７８】
オーナー処理部３３は、各種の処理を行う。各種の処理とは、例えば、オーナー受付部３２が受け付けた情報や指示等を、送信するデータ構造の情報や指示等に変更する処理、受信された情報を出力するデータ構造の情報に変更する処理等である。
【００７９】
オーナー送信部３４は、情報や指示等を駐車場情報処理装置１に送信する。情報や指示等とは、例えば、駐車場情報、統計情報出力指示等である。
【００８０】
オーナー受信部３５は、情報を駐車場情報処理装置１から受信する。情報とは、例えば、統計情報である。
【００８１】
オーナー出力部３６は、情報を出力する。情報とは、例えば、統計情報である。ここで、出力とは、ディスプレイへの表示、プロジェクターを用いた投影、プリンタでの印字、音出力、外部の装置（例えば、表示装置）への送信、記録媒体への蓄積、他の処理装置や他のプログラムなどへの処理結果の引渡しなどを含む概念である。
【００８２】
格納部１１、駐車場情報格納部１１１、ユーザ情報格納部１１２、予約情報格納部１１３、ユーザ格納部２１、およびオーナー格納部３１は、不揮発性の記録媒体が好適であるが、揮発性の記録媒体でも実現可能である。
【００８３】
格納部１１等に情報が記憶される過程は問わない。例えば、記録媒体を介して情報が格納部１１等で記憶されるようになってもよく、通信回線等を介して送信された情報が格納部１１等で記憶されるようになってもよく、あるいは、入力デバイスを介して入力された情報が格納部１１等で記憶されるようになってもよい。
【００８４】
受信部１２、出力指示受信部１２１、予約情報受信部１２２、ユーザ受信部２５、およびオーナー受信部３５は、通常、無線または有線の通信手段で実現されるが、放送を受信する手段で実現されても良い。
【００８５】
処理部１３、蓄積部１３１、判断部１３２、構成部１３３、事前決済部１３４、統計処理部１３５、ユーザ処理部２３、およびオーナー処理部３３は、通常、ＭＰＵやメモリ等から実現され得る。処理部１３の処理手順は、通常、ソフトウェアで実現され、当該ソフトウェアはＲＯＭ等の記録媒体に記録されている。但し、ハードウェア（専用回路）で実現しても良い。
【００８６】
送信部１４、出力駐車場情報送信部１４１、ユーザ送信部２４、オーナー送信部３４、出力部１５、および統計出力部１５１は、通常、無線または有線の通信手段で実現されるが、放送手段で実現されても良い。
【００８７】
ユーザ出力部２６、およびオーナー出力部３６は、ディスプレイやスピーカー等の出力デバイスを含むと考えても含まないと考えても良い。ユーザ出力部２６等は、出力デバイスのドライバーソフトまたは、出力デバイスのドライバーソフトと出力デバイス等で実現され得る。
【００８８】
次に、情報システムＡの動作について説明する。まず、駐車場情報処理装置１の動作について、図４のフローチャートを用いて説明する。
【００８９】
（ステップＳ４０１）受信部１２は、ユーザ情報をユーザ端末２から受信したか否かを判断する。ユーザ情報を受信した場合はステップＳ４０２に行き、ユーザ情報を受信しない場合はステップＳ４０３に行く。
【００９０】
（ステップＳ４０２）蓄積部１３１は、ステップＳ４０１で受信されたユーザ情報をユーザ情報格納部１１２に蓄積する。ステップＳ４０１に戻る。なお、かかる処理は、ユーザ情報の登録処理である。
【００９１】
（ステップＳ４０３）受信部１２は、第一駐車場情報をオーナー端末３から受信したか否かを判断する。第一駐車場情報を受信した場合はステップＳ４０４に行き、第一駐車場情報を受信しない場合はステップＳ４０５に行く。
【００９２】
（ステップＳ４０４）蓄積部１３１は、ステップＳ４０３で受信された第一駐車場情報を駐車場情報格納部１１１に蓄積する。ステップＳ４０１に戻る。なお、かかる処理は、第一駐車場情報の登録処理である。ステップＳ４０１に戻る。
【００９３】
（ステップＳ４０５）出力指示受信部１２１は、出力指示を受信したか否かを判断する。出力指示を受信した場合はステップＳ４０６に行き、出力指示を受信しない場合はステップＳ４０８に行く。
【００９４】
（ステップＳ４０６）構成部１３３は、ステップＳ４０５で受信された出力指示に応じた出力駐車場情報を構成する。かかる出力情報構成処理について、図５のフローチャートを用いて説明する。
【００９５】
（ステップＳ４０７）出力駐車場情報送信部１４１は、ステップＳ４０６で構成された出力駐車場情報を、出力指示を送信してきたユーザ端末２に送信する。ステップＳ４０１に戻る。
【００９６】
（ステップＳ４０８）予約情報受信部１２２は、予約情報をユーザ端末２から受信したか否かを判断する。予約情報を受信した場合はステップＳ４０９に行き、予約情報を受信しない場合はステップＳ４１３に行く。
【００９７】
（ステップＳ４０９）判断部１３２は、ステップＳ４０８で受信された予約情報に基づいて、駐車場の予約が可能か否かを判断する。予約が可能であればステップＳ４１０に行き、予約が不可能であればステップＳ４１２に行く。
【００９８】
（ステップＳ４１０）蓄積部１３１は、ステップＳ４０９で受信された予約情報を、予約情報格納部１１３に蓄積する。かかる処理は、予約情報の登録処理である。
【００９９】
（ステップＳ４１１）送信部１４は、予約完了の旨の情報を、予約情報を送信してきたユーザ端末２に送信する。ステップＳ４０１に戻る。
【０１００】
（ステップＳ４１２）送信部１４は、予約できなかった旨の情報（予約情報がエラーである旨の情報）を、予約情報を送信してきたユーザ端末２に送信する。ステップＳ４０１に戻る。
【０１０１】
（ステップＳ４１３）処理部１３は、自動通知処理を行うタイミングであるか否かを判断する。自動通知処理を行うタイミングである場合はステップＳ４１４に行き、自動通知処理を行うタイミングでない場合はステップＳ４１５に行く。
【０１０２】
（ステップＳ４１４）処理部１３等は、自動通知処理を行う。ステップＳ４０１に戻る。なお、自動通知処理について、図６のフローチャートを用いて説明する。
【０１０３】
（ステップＳ４１５）受信部１２は、その他の指示等を受信したか否かを判断する。その他の指示等を受信した場合はステップＳ４１６に行き、その他の指示等を受信しなかった場合はステップＳ４０１に戻る。
【０１０４】
（ステップＳ４１６）処理部１３は、ステップＳ４１５で受信されたその他の指示等に応じた処理を行う。ステップＳ４０１に戻る。
【０１０５】
なお、図４のフローチャートにおいて、処理部１３が自動通知処理を行うタイミングであると判断する条件は問わない。処理部１３は、閾値時間ごとに自動通知処理を行うタイミングであると判断しても良いし、設定された時刻になった場合に自動通知処理を行うタイミングであると判断しても良いし、ステップＳ４１３に処理が移行した場合に常に自動通知処理を行うタイミングであると判断する等しても良い。
【０１０６】
また、図４のフローチャートにおいて、電源オフや処理終了の割り込みにより処理は終了する。
【０１０７】
次に、ステップＳ４０６の出力情報構成処理について、図５のフローチャートを用いて説明する。
【０１０８】
（ステップＳ５０１）構成部１３３は、受信された出力指示に基づいて、駐車場情報の検索条件を取得する。検索条件は、例えば、スポット名や地名等、地図の領域を特定する情報を有する。
【０１０９】
（ステップＳ５０２）構成部１３３は、駐車場情報の検索条件に対応する領域の地図情報を格納部１１から取得する。なお、スポット名や地名等から地図情報を取得する処理、領域が定まっている状況においてその領域の地図情報を取得する処理は公知技術であるので、詳細な説明は省略する。
【０１１０】
（ステップＳ５０３）構成部１３３は、ステップＳ５０１で取得された検索条件を用いて、駐車場情報格納部１１１から第一駐車場情報を検索する。構成部１３３は、例えば、ステップＳ５０２で取得した地図情報の領域の中に位置する第一駐車場情報を、第一駐車場情報の位置情報を用いて検索する。
【０１１１】
（ステップＳ５０４）判断部１３２は、ステップＳ５０３で検索された１以上の第一駐車場情報から、条件に合致しない第一駐車場情報を判断する。そして、処理部１３は、当該第一駐車場情報をステップＳ５０３で検索された１以上の第一駐車場情報から削除する。なお、条件に合致しない第一駐車場情報とは、例えば、出力指示に対応する種類識別子と各第一駐車場情報が有する種類識別子とから、ユーザの移動体が駐車できない第一駐車場の情報である。
【０１１２】
（ステップＳ５０５）構成部１３３は、カウンタｉに１を代入する。
【０１１３】
（ステップＳ５０６）構成部１３３は、検索し、残った第一駐車場情報の中で、ｉ番目の第一駐車場情報が存在するか否かを判断する。ｉ番目の第一駐車場情報が存在する場合はステップＳ５０７に行き、存在しない場合はステップＳ５０９に行く。
【０１１４】
（ステップＳ５０７）構成部１３３は、ステップＳ５０２で取得した地図情報が示す地図上に、ｉ番目の第一駐車場情報が有する位置情報に対応する位置に、ｉ番目の第一図柄を配置する。なお、第一図柄は、第一駐車場であることを示す図柄であり、通常、予約のための押下が可能である。
【０１１５】
（ステップＳ５０８）構成部１３３は、カウンタｉを１、インクリメントする。ステップＳ５０６に戻る。
【０１１６】
（ステップＳ５０９）構成部１３３は、ステップＳ５０１で取得された検索条件を用いて、駐車場情報格納部１１１から第二駐車場情報を検索する。
【０１１７】
（ステップＳ５１０）判断部１３２は、ステップＳ５０９で検索された１以上の第二駐車場情報から、条件に合致しない第二駐車場情報を判断する。そして、処理部１３は、当該第二駐車場情報をステップＳ５０９で検索された１以上の第二駐車場情報から削除する。なお、条件に合致しない第二車場情報とは、例えば、出力指示に対応する種類識別子と各第二駐車場情報が有する種類識別子とから、ユーザの移動体が駐車できない第二駐車場の情報である。
【０１１８】
（ステップＳ５１１）構成部１３３は、カウンタｊを代入する。
【０１１９】
（ステップＳ５１２）構成部１３３は、検索し、残った第二駐車場情報の中で、ｊ目の第二駐車場情報が存在するか否かを判断する。ｊ番目の第二駐車場情報が存在する場合はステップＳ５１３に行き、存在しない場合はステップＳ５１５に行く。
【０１２０】
（ステップＳ５１３）構成部１３３は、ステップＳ５０２で取得した地図情報が示す地図上に、ｊ番目の第二駐車場情報が有する位置情報に対応する位置に、ｊ番目の第二図柄を配置する。なお、第二図柄は、第二駐車場であることを示す図柄である。なお、第二図柄は、第二駐車場の詳細情報の表示のため押下が可能であっても良い。
【０１２１】
（ステップＳ５１４）構成部１３３は、カウンタｊを１、インクリメントする。ステップＳ５１２に戻る。
【０１２２】
（ステップＳ５１５）構成部１３３は、送信される出力駐車場情報を構成する。上位処理にリターンする。
【０１２３】
次に、ステップＳ４１４の自動通知処理について、図６のフローチャートを用いて説明する。
【０１２４】
（ステップＳ６０１）処理部１３は、カウンタｉに１を代入する。
【０１２５】
（ステップＳ６０２）処理部１３は、ｉ番目の予約情報が存在するか否かを判断する。ｉ番目の予約情報が存在する場合はステップＳ６０３に行き、存在しない場合は上位処理にリターンする。
【０１２６】
（ステップＳ６０３）処理部１３は、ｉ番目の予約情報を用いた通知が必要であるか否かを判断する。なお、通知が必要である場合は、例えば、（１）もうすぐ予約開始時刻になる場合、（２）もうすぐ予約終了時刻になる場合、などである。
【０１２７】
（ステップＳ６０４）処理部１３は、必要である場合はステップＳ６０５に行き、通知が必要でない場合はステップＳ６０７に行く。
【０１２８】
（ステップＳ６０５処理部１３は、通知する情報を、格納部１１から取得する。
【０１２９】
（ステップＳ６０６）送信部１４は、ｉ番目の予約情報に対応するユーザの連絡先の情報を当該ユーザのユーザ情報から取得し、当該連絡先の情報が示す先に、ステップＳ６０４で取得した情報を送信する。
【０１３０】
（ステップＳ６０７）処理部１３は、カウンタｉを１、インクリメントする。ステップＳ６０２に戻る。
【０１３１】
次に、ユーザ端末２の動作について説明する。ユーザ端末２のユーザ受付部２２は、ユーザから情報や指示等を受け付ける。次に、ユーザ処理部２３は、ユーザ受付部２２が受け付けた情報や指示等を、送信するデータ構造の情報や指示等に変更する。次に、ユーザ送信部２４は、当該情報や指示等を駐車場情報処理装置１に送信する。そして、ユーザ受信部２５は、情報を駐車場情報処理装置１から受信する。次に、ユーザ処理部２３は、受信された情報を出力するデータ構造の情報に変更する。そして、ユーザ出力部２６は、当該情報を出力する。
【０１３２】
次に、オーナー端末３の動作について説明する。オーナー端末３のオーナー受付部３２は、オーナーから、情報や指示等を受け付ける。次に、オーナー処理部３３は、オーナー受付部３２が受け付けた情報や指示等を、送信するデータ構造の情報や指示等に変更する。そして、オーナー送信部３４は、当該情報や指示等を駐車場情報処理装置１に送信する。次に、オーナー受信部３５は、情報を駐車場情報処理装置１から受信する。次に、オーナー処理部３３は、受信された情報を出力するデータ構造の情報に変更する。そして、オーナー出力部３６は、当該情報を出力する。
【０１３３】
以下、本実施の形態における情報システムＡの具体的な動作について説明する。情報システムＡの概念図は図１である。
【０１３４】
今、駐車場情報格納部１１１には、図７に示す構造を有する第一駐車場情報の管理表である第一駐車場情報管理表が格納されている。第一駐車場情報管理表は、「駐車場識別子」「住所」「位置情報」「オーナー名」「振込先情報」「種類識別子」「台数情報」「料金情報」「営業時間情報」「駐車場画像」を有する１以上のレコードが格納される。
【０１３５】
なお、第一駐車場情報管理表の各レコードは、オーナーがオーナー端末３に入力した第一駐車場情報であり、駐車場情報処理装置１がオーナー端末３から受信し、駐車場情報格納部１１１に蓄積した情報である。また、「駐車場画像」の情報（例えば、「ｉｍｇ１１．ｊｐｇ」等）は図示しないが、格納部１１に格納されている。
【０１３６】
また、駐車場情報格納部１１１には、図８に示す構造を有する第二駐車場情報の管理表である第二駐車場情報管理表が格納されている。第二駐車場情報管理表は、「駐車場識別子」「住所」「位置情報」「種類識別子」「台数情報」「料金情報」「営業時間情報」「駐車場画像」を有する１以上のレコードが格納される。
【０１３７】
なお、第二駐車場情報管理表の各レコードは、処理部１３がウェブ上をクローリングし、１または２以上の駐車場検索のウェブサイトから収集した情報である。なお、１または２以上の駐車場検索のウェブサイトから情報を自動取得する技術は公知技術であるので、詳細な説明は省略する。また、「駐車場画像」の情報（例えば、「ｉｍｇＡ１．ｊｐｇ」等）は図示しないが、格納部１１に格納されている。また、営業時間情報「−」は、２４時間営業であることを示す。
【０１３８】
また、第二駐車場情報管理表のレコードは、駐車場情報処理装置１の管理者が入力した情報でも良い。
【０１３９】
また、ユーザ情報格納部１１２には、図９に示す構造を有するユーザ情報管理表が格納されている。ユーザ情報管理表は、「ユーザ識別子」「氏名」「クレジットカード番号」「電話番号」「メールアドレス」「パスワード」を有する１以上のレコードが格納される。
【０１４０】
なお、ユーザ情報管理表の各レコードは、各ユーザがユーザ端末２に入力したユーザ情報であり、駐車場情報処理装置１がユーザ端末２から受信し、ユーザ情報格納部１１２に蓄積した情報である。
【０１４１】
さらに、予約情報格納部１１３には、図１０に示す構造を有する予約情報管理表が格納されている。予約情報管理表は、「ＩＤ」「第一駐車場識別子」「ユーザ識別子」「時間帯情報」を有する１以上のレコードが格納される。
【０１４２】
なお、予約情報管理表の各レコードは、ユーザがユーザ端末２に入力した予約情報であり、駐車場情報処理装置１がユーザ端末２から受信し、ユーザ情報格納部１１２に蓄積した情報である。
【０１４３】
かかる状況において、ユーザ「青木和男」は、目的地である「東京駅」の付近の駐車場を検索しようと、出力指示「東京駅」をユーザ端末２に入力した、とする。すると、ユーザ端末２のユーザ受付部２２は、出力指示「東京駅」を受け付ける。次に、ユーザ処理部２３は、ユーザ格納部２１のユーザ識別子「Ｕ１０２」、種類識別子「大型車」を読み出し、送信する出力指示「出力指示  東京駅，Ｕ１０２，大型車」を構成する。次に、ユーザ送信部２４は、当該出力指示を駐車場情報処理装置１に送信する。
【０１４４】
次に、駐車場情報処理装置１の出力指示受信部１２１は、「出力指示  東京駅，Ｕ１０２，大型車」を受信する。
【０１４５】
次に、構成部１３３は、受信された出力指示に応じた出力駐車場情報を、以下のように構成する。
【０１４６】
つまり、まず、構成部１３３は、受信された出力指示に基づいて、駐車場情報の検索条件「東京駅」を取得する。次に、構成部１３３は、駐車場情報の検索条件に対応する東京駅周辺の地図情報を格納部１１から取得する。
【０１４７】
次に、構成部１３３は、検索条件「東京駅」を用いて、東京駅の位置情報（Ｘｔ，Ｙｔ）を地図情報から取得する。次に、構成部１３３は、位置情報（Ｘｔ，Ｙｔ）と比較して、予め決められた条件を満たすほど近い位置の位置情報を有する第一駐車場情報を、第一駐車場情報管理表から検索する。なお、位置情報（Ｘｔ，Ｙｔ）と比較して、予め決められた条件を満たすほど近い位置の位置情報とは、例えば、位置情報（Ｘｔ，Ｙｔ）との距離が閾値以内、または閾値より近い位置の位置情報である。次に、構成部１３３は、検索された第一駐車場情報から、種類識別子「大型車」を種類識別子に含まない（大型車が駐車できない駐車場の）第一駐車場情報を削除する。そして、構成部１３３は、６つの第一駐車場情報を得たとする。
【０１４８】
次に、構成部１３３は、６つの各第一駐車場情報が有する位置情報が示す地図上の箇所に、第一駐車場を示す第一図柄（「特Ｐ」の図柄）を配置する。
【０１４９】
次に、構成部１３３は、位置情報（Ｘｔ，Ｙｔ）と比較して、予め決められた条件を満たすほど近い位置の位置情報を有する第二駐車場情報を、第二駐車場情報管理表から検索する。次に、構成部１３３は、検索された第二駐車場情報から、種類識別子「大型車」を種類識別子に含まない（大型車が駐車できない駐車場の）第二駐車場情報を削除する。そして、構成部１３３は、３つの第二駐車場情報を得たとする。
【０１５０】
次に、構成部１３３は、３つの各第二駐車場情報が有する位置情報が示す地図上の箇所に、第二駐車場を示す第二図柄（「Ｐ」の図柄）を配置する。
【０１５１】
なお、ここで、構成部１３３の検索処理において、第一駐車場情報を検索する条件と、第二駐車場情報を検索する条件とが異なる条件であっても良い。例えば、構成部１３３が第二駐車場情報を検索する場合、第一駐車場情報を検索した後、第一駐車場情報より目的地に近いことを条件に加えて、第二駐車場情報を検索しても良い。また、例えば、構成部１３３は、第一駐車場情報を検索する場合には、目的地の位置情報と比較した閾値の距離がＤＸであり、第二駐車場情報を検索する場合には、目的地の位置情報と比較した閾値の距離がＤＹであっても良い。かかる場合、（ＤＸ＞ＤＹ）であることは好適である。
【０１５２】
次に、構成部１３３は、ユーザ端末２に送信する出力駐車場情報を構成する。なお、かかる出力駐車場情報は、地図、および地図上に６つの第一図柄と３つの第二図柄等を有する情報である。
【０１５３】
次に、出力駐車場情報送信部１４１は、構成された出力駐車場情報を、出力指示を送信してきたユーザ端末２に送信する。
【０１５４】
次に、ユーザ端末２のユーザ受信部２５は、出力駐車場情報を駐車場情報処理装置１から受信する。そして、ユーザ出力部２６は、出力駐車場情報を出力する。かかる出力例は、図１１である。図１１において、第一図柄（１１０１）と第二図柄（１１０２）とが視覚的に区別可能な態様で出力されている。また、第一図柄は第二図柄と比較して、目立つ態様で出力されていることは好適である。
【０１５５】
次に、ユーザは、例えば、図１１の画面から、一の第一図柄を押下した、とする。すると、駐車場の予約画面にジャンプした、とする。
【０１５６】
次に、ユーザは、予約画面から、予約情報「第一駐車場識別子：１，時間帯情報：２０１７／１／５  ８：００−１５：００」を入力した、とする。すると、ユーザ受付部２２は、かかる予約情報を受け付ける。次に、ユーザ処理部２３は、ユーザ格納部２１のユーザ識別子「Ｕ１０２」を読み出す。そして、ユーザ処理部２３は、ユーザ受付部２２が受け付けた予約情報を、送信するデータ構造の予約情報「第一駐車場識別子：１，ユーザ識別子：Ｕ１０２，時間帯情報：２０１７／１／５  ８：００−１５：００」に変更する。次に、ユーザ送信部２４は、かかる予約情報を駐車場情報処理装置１に送信する。
【０１５７】
次に、駐車場情報処理装置１の予約情報受信部１２２は、予約情報「第一駐車場識別子：１，ユーザ識別子：Ｕ１０２，時間帯情報：２０１７／１／５  ８：００−１５：００」をユーザ端末２から受信する。
【０１５８】
次に、判断部１３２は、受信された予約情報のうちの第一駐車場識別子「１」と時間帯情報「２０１７／１／５  ８：００−１５：００」とを用いて、駐車場の予約が可能か否かを判断する。ここで、判断部１３２は、第一駐車場識別子「１」と対になる台数情報「３」を第一駐車場情報管理表から取得する。そして、判断部１３２は、第一駐車場識別子「１」を含む予約情報であり、時間帯情報「２０１７／１／５  ８：００−１５：００」のいずれかの時間が被るレコードを検索し、かかる条件に合致するレコードの数「３」を予約情報管理表から取得した、とする。そして、判断部１３２は、取得した台数情報「３」と、予約済みのレコード数「３」とから、ユーザが指定する時間帯は、既に満車である、と判断する。つまり、判断部１３２は、予約不可能である、と判断する。
【０１５９】
次に、送信部１４は、予約できなかった旨の情報を、予約情報を送信してきたユーザ端末２に送信する。
【０１６０】
次に、ユーザ端末２は、予約できなかった旨のエラー情報を受信し、出力する。そして、このエラー情報を見たユーザ「青木和男」は、図１１の画面から、他の駐車場の第一図柄を押下した、とする。そして、駐車場の予約画面にジャンプする。
【０１６１】
次に、ユーザは、予約画面から、予約情報「第一駐車場識別子：２，時間帯情報：２０１７／１／５  ８：００−１５：００」を入力した、とする。すると、ユーザ受付部２２は、かかる予約情報を受け付ける。次に、ユーザ処理部２３は、送信するデータ構造の予約情報「第一駐車場識別子：２，ユーザ識別子：Ｕ１０２，時間帯情報：２０１７／１／５  ８：００−１５：００」を構成する。次に、ユーザ送信部２４は、かかる予約情報を駐車場情報処理装置１に送信する。
【０１６２】
次に、駐車場情報処理装置１の予約情報受信部１２２は、予約情報「第一駐車場識別子：２，ユーザ識別子：Ｕ１０２，時間帯情報：２０１７／１／５  ８：００−１５：００」をユーザ端末２から受信する。
【０１６３】
次に、判断部１３２は、受信された予約情報に対して、上記と同様の判断処理を行い、予約可能である、と判断した、とする。
【０１６４】
次に、蓄積部１３１は、予約情報「第一駐車場識別子：２，ユーザ識別子：Ｕ１０２，時間帯情報：２０１７／１／５  ８：００−１５：００」を、予約情報管理表（図１０）に蓄積する。
【０１６５】
次に、送信部１４は、予約完了の旨の情報を、ユーザ「青木和男」のユーザ端末２に送信する。
【０１６６】
次に、駐車場情報処理装置１の処理部１３は、自動通知処理を行うタイミングである、と判断した、とする。なお、ここでは、処理部１３は、例えば、１０分ごとに、自動通知処理を行うタイミングである、と判断する、とする。
【０１６７】
そして、処理部１３は、予約情報管理表（図１０）の各予約情報に対して、以下の（１）（２）の通知が必要であるか否かを判断し、通知が必要である場合、ユーザ端末２に通知する。
（１）もうすぐ予約開始時刻になる旨の第一通知
【０１６８】
処理部１３は、図示しない時計から現在時刻を取得する。次に、処理部１３は、各予約情報の時間帯情報の開始時刻を取得する。そして、処理部１３は、現在時刻が開始時刻の前であり、開始時刻の閾値（例えば、３０分）より近い時刻であり、第一通知を行っていない予約情報であるか否かを判断する。次に、処理部１３は、上記の条件を満たす予約情報である場合、当該予約情報に含まれるユーザ識別子を予約情報管理表から取得する。次に、処理部１３は、取得したユーザ識別子と対になるメールアドレスを取得する。次に、送信部１４は、当該メールアドレス宛に、もうすぐ予約開始時刻になる旨の通知情報（例えば、「予約されている駐車場の使用開始時刻が近づいています。・・・」）を送信する。なお、処理部１３は、第一通知の後、第一通知を行った旨の情報（例えば、フラグ）を、予約情報に対応付けて蓄積する。
（２）もうすぐ予約終了時刻になる旨の第二通知
【０１６９】
処理部１３は、図示しない時計から現在時刻を取得する。次に、処理部１３は、各予約情報の時間帯情報の終了時刻を取得する。そして、処理部１３は、現在時刻が終了時刻の前であり、終了時刻の閾値（例えば、１５分）より近い時刻であり、第二通知を行っていない予約情報であるか否かを判断する。次に、処理部１３は、上記の条件を満たす予約情報である場合、当該予約情報に含まれるユーザ識別子を予約情報管理表から取得する。次に、処理部１３は、取得したユーザ識別子と対になるメールアドレスを取得する。次に、送信部１４は、当該メールアドレス宛に、もうすぐ予約終了時刻になる旨の通知情報（例えば、「予約されている駐車場の使用終了時刻が近づいています。・・・」）を送信する。なお、処理部１３は、第二通知の後、第二通知を行った旨の情報（例えば、フラグ）を、予約情報に対応付けて蓄積する。
【０１７０】
そして、ユーザ端末２は、第一通知または第二通知を受信し、出力する。
【０１７１】
以上、本実施の形態によれば、予約できる駐車場の情報と予約できない駐車場の情報とを、同時にかつ視覚的に区別して閲覧できる。そのため、ユーザにとっても、オーナーにとっても好適な駐車場検索システムが提供できる。
【０１７２】
つまり、ユーザは、駐車場の予約が必要な場合と予約が必要でない場合とで、同じインターフェイスで駐車場検索ができる。また、ユーザは、駐車場の予約をしようとしたけれども、満車予定等により、予約できなかった場合でも、続けて、予約できない、駐車できる可能性のある駐車場の情報を得ることができる。
【０１７３】
また、予約できる駐車場では、クレジットカード等の事前決済により、ゲートやフラップなどの設備を必要としないために、予約できる駐車場の利用料金は、ゲート等の設備を有し、予約できない駐車場と比較して、通常、安価である。そのため、予約できる駐車場の情報と予約できない駐車場の情報とをシームレスに扱えるウェブサイトにより、予約できる駐車場の利用が活性化される。つまり、目的地到着前に、ウェブサイトで予約できない駐車場を検索してから目的地に向かうユーザを、予約できる駐車場に強力に誘導でき、オーナーにとってメリットが大きい。
【０１７４】
また、本実施の形態によれば、ユーザ情報を登録したユーザのみが駐車場の予約ができる。また、本実施の形態によれば、事前決済が行われる。そのため、駐車場を提供するオーナーにとって多大な安心が得られる。また、ユーザの不正が行われる可能性を低くすることができる。
【０１７５】
なお、本実施の形態によれば、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における情報処理装置を実現するソフトウェアは、以下のようなプログラムである。つまり、記録媒体は、予約可能な第一駐車場に関する駐車場情報である１以上の第一駐車場情報と、予約できない第二駐車場に関する駐車場情報である１以上の第二駐車場情報とが、区別可能に格納されている駐車場情報格納部を具備し、このプログラムは、コンピュータを、駐車場情報の出力の指示である出力指示をユーザ端末から受信する出力指示受信部と、前記出力指示の受信に応じて、第一駐車場と第二駐車場とを視覚的に区別可能に駐車場の情報を前記ユーザ端末で出力するように、前記１以上の第一駐車場情報と前記１以上の第二駐車場情報とを用いて、出力する駐車場の情報である出力駐車場情報を構成する構成部と、前記構成部が構成した出力駐車場情報を、前記ユーザ端末に送信する出力駐車場情報送信部として機能させるためのプログラム、である。
【０１７６】
また、図１２は、本明細書で述べたプログラムを実行して、上述した種々の実施の形態の駐車場情報処理装置１等を実現するコンピュータの外観を示す。上述の実施の形態は、コンピュータハードウェア及びその上で実行されるコンピュータプログラムで実現され得る。図１２は、このコンピュータシステム３００の概観図であり、図１３は、システム３００のブロック図である。
【０１７７】
図１２において、コンピュータシステム３００は、ＣＤ−ＲＯＭドライブを３０１２含むコンピュータ３０１と、キーボード３０２と、マウス３０３と、モニタ３０４とを含む。
【０１７８】
図１３において、コンピュータ３０１は、ＣＤ−ＲＯＭドライブ３０１２と、ＭＰＵ３０１３と、バス３０１４と、ＲＯＭ３０１５と、ＲＡＭ３０１６と、ハードディスク３０１７とを含む。ＲＯＭ３０１５は、ブートアッププログラム等のプログラムを記憶している。ＲＡＭ３０１６は、ＭＰＵ３０１３に接続され、アプリケーションプログラムの命令を一時的に記憶するとともに一時記憶空間を提供する。ハードディスク３０１７は、通常、アプリケーションプログラム、システムプログラム、及びデータを記憶している。ここでは、図示しないが、コンピュータ３０１は、さらに、ＬＡＮへの接続を提供するネットワークカードを含んでも良い。
【０１７９】
コンピュータシステム３００に、上述した実施の形態の駐車場情報処理装置１等の機能を実行させるプログラムは、ＣＤ−ＲＯＭ３１０１に記憶されて、ＣＤ−ＲＯＭドライブ３０１２に挿入され、さらにハードディスク３０１７に転送されても良い。また、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０１８０】
プログラムは、コンピュータ３０１に、上述した実施の形態の駐車場情報処理装置１等の機能を実行させるオペレーティングシステム（ＯＳ）、またはサードパーティープログラム等は、必ずしも含まなくても良い。プログラムは、制御された態様で適切なモジュールを呼び出し、所望の結果が得られるようにする命令の部分のみを含んでいれば良い。コンピュータシステム３００がどのように動作するかは周知であり、詳細な説明は省略する。
【０１８１】
なお、上記プログラムにおいて、情報を送信するステップや、情報を受信するステップなどでは、ハードウェアによって行われる処理、例えば、送信ステップにおけるモデムやインターフェースカードなどで行われる処理（ハードウェアでしか行われない処理）は含まれない。
【０１８２】
また、上記プログラムを実行するコンピュータは、単数であってもよく、複数であってもよい。すなわち、集中処理を行ってもよく、あるいは分散処理を行ってもよい。
【０１８３】
また、上記各実施の形態において、一の装置に存在する２以上の通信手段は、物理的に一の媒体で実現されても良いことは言うまでもない。
【０１８４】
また、上記各実施の形態において、各処理（各機能）は、単一の装置（システム）によって集中処理されることによって実現されてもよく、あるいは、複数の装置によって分散処理されることによって実現されてもよい。
【０１８５】
本発明は、以上の実施の形態に限定されることなく、種々の変更が可能であり、それらも本発明の範囲内に包含されるものであることは言うまでもない。
【産業上の利用可能性】
【０１８６】
以上のように、本発明にかかる駐車場情報処理装置は、予約できる駐車場の情報と予約できない駐車場の情報とを、同時にかつ視覚的に区別して閲覧できるという効果を有し、駐車場情報処理装置等として有用である。
【符号の説明】
【０１８７】
１  駐車場情報処理装置
２  ユーザ端末
３  オーナー端末
１１  格納部
１２  受信部
１３  処理部
１４  送信部
１５  出力部
２１  ユーザ格納部
２２  ユーザ受付部
２３  ユーザ処理部
２４  ユーザ送信部
２５  ユーザ受信部
２６  ユーザ出力部
３１  オーナー格納部
３２  オーナー受付部
３３  オーナー処理部
３４  オーナー送信部
３５  オーナー受信部
３６  オーナー出力部
１１１  駐車場情報格納部
１１２  ユーザ情報格納部
１１３  予約情報格納部
１２１  出力指示受信部
１２２  予約情報受信部
１３１  蓄積部
１３２  判断部
１３３  構成部
１３４  事前決済部
１３５  統計処理部
１４１  出力駐車場情報送信部
１５１  統計出力部
【図１】
2018116622.tif 000003
【図２】
2018116622.tif 000004
【図３】
2018116622.tif 000005
【図４】
2018116622.tif 000006
【図５】
2018116622.tif 000007
【図６】
2018116622.tif 000008
【図７】
2018116622.tif 000009
【図８】
2018116622.tif 000010
【図９】
2018116622.tif 000011
【図１０】
2018116622.tif 000012
【図１１】
2018116622.tif 000013
【図１２】
2018116622.tif 000014
【図１３】
2018116622.tif 000015